(57)【特許請求の範囲】
【請求項１】
室内ユニット筺体と、該室内ユニット筺体内に設けられ室内の空気と冷媒との間で熱交換を行う室内熱交換器と、室内ユニット筺体内に設けられ室内の空気を室内熱交換器に送り熱交換後の空気を室内へ戻すクロスフロー型のファンと、該クロスフロー型ファンの吸込部近傍の吹出部を覆うように該ファンの左右両側端部にそれぞれ対応して設けられた逆流防止板とを備え、
前記逆流防止板のファン吹出部中央側の角部には、逆流防止用の面取り部が形成されているとともに、前記面取り部は、前記ファンの一側方に取り付けられて該ファンを駆動するモータが存しない側の逆流防止板に施された面取り部の長さが、前記モータが存する側の逆流防止板の面取り部の長さよりも長く設定されていることを特徴とする室内ユニット。
【請求項２】
前記逆流防止板は、前記ファンから吹き出される空気の流れに直交する方向へ延びる仕切部と、前記ファンから吹き出される空気の流れと同じ方向へ延びて室内ユニット筺体の空気吹出口近傍まで達する空気案内部とを備え、前記仕切部と前記空気案内部との交差部分に、前記面取り部が形成されていることを特徴とする請求項１記載の室内ユニット。
【請求項３】
前記請求項１または２に記載の室内ユニットを備えるとともに、該室内ユニットと対を成す室外ユニットを備えることを特徴とする空気調和機。
【発明の詳細な説明】
【０００１】
【発明の属する技術分野】
本発明は、暖房又は冷房により快適な室内環境を提供する室内ユニット及び空気調和機に関する。
【０００２】
【従来の技術】
空気調和機は、室内ユニット及び室外ユニットの二つの大きな構成要素からなっている。これらの各ユニットには、冷媒と室内気との間及び冷媒と室外気との間における熱交換を行う室内熱交換器及び室外熱交換器が備えられている。
【０００３】
これら室内熱交換器及び室外熱交換器は、他に圧縮機、膨張弁等の要素を加えて冷媒回路を構成する要素になっている。冷媒はこの回路を物理的に循環することで、熱的にも高温高圧気体、低温低圧気体、高温高圧液体、低温低圧液体という状態変化の循環プロセスを辿り、室内の冷暖房を実現することになる。なお、この室内の冷暖房は、直接的には前記室内熱交換器内の冷媒と室内気との熱交換により実現されることになる。
【０００４】
ちなみに、暖房運転時は、圧縮機で高温高圧の気体とされた気体冷媒を室内熱交換器に送出して、当該冷媒と室内気との間で熱交換を行うことにより実現される。また、冷房運転時は、高温高圧の気体冷媒を室外熱交換器に送出して室外気と熱交換させて高温高圧の液冷媒とし、これをさらに膨張弁に通すことで低温低圧化させて室内熱交換器に送出し、この冷媒と室内気との間で熱交換を行うことにより実現される。
【０００５】
【発明が解決しようとする課題】
従来の空気調和機には、次のような課題があった。
室内ユニットは、一般的に、図７に示すように、室内ユニット筺体１と、該室内ユニット筺体１内に設けられ室内の空気と冷媒との間で熱交換を行う室内熱交換器２と、室内ユニット筺体１内に設けられ室内の空気を室内熱交換器２に送り熱交換後の空気を室内へ戻すファン３とを備える。そして、ファン３としては、軸線に対して交差する方向に空気を流す略円筒形状のクロスフロー型のファンが多く使用されている。
【０００６】
クロスフロー型のファン３では、左右両側面がそれぞれ吸込部３ａ、該吸込部３ａを除く円筒形状のファン外方の一部が吹出部３ｂとなっており、吹出部３ｂの左右両側端近傍は前記吸込部３ａと接近している関係上、該吹出部３ｂの左右両側端近傍から吹き出される空気の一部が吸込部３ａに流れ込んでしまういわゆる逆流現象が生じる。
この逆流現象の発生を防止するため、クロスフロー型のファンの左右両側端部にそれぞれ対応するように逆流防止板４、４を設け、これにより、ファンの吹出部３ｂの左右両側端部を塞ぎ、吹出部３ｂから吹き出した空気の一部が吸込部３ａに逆流するのを防止しているものも開発されている。
【０００７】
ところで、最近の室内ユニットでは、ファンの吹出部３ｂに、空気の吹出角度を調整するため可変ルーバを備えたものがあるが、このような可変ルーバを備えたものでは、吹出部３ｂの近傍に、ルーバーの角度を変えるためのモータやそれに付随する電気部品等を配置するスペースが必要となり、このようなモータや電気部品は前記逆流防止板４の背面部分（外方部分）５に配置されることが多い。この場合、逆流防止板４が幅広となって、吹出部中央側に大きく張り出し、該逆流防止板４とファン３の側端部とのオーバラップ量Ｌが必要以上増加してしまう。このように逆流防止板４とファン３の側端部とのオーバラップ量Ｌが必要以上増加すると、吹出部３ｂから吹き出した空気の一部が吸込部３ａに逆流する逆流現象が再び見られたり、吹出部３ｂから吹き出される空気が逆流防止板４に当たり乱流を生じることによって異音（バサツキ音）が発生したりする不具合が生じる。
【０００８】
上記逆流防止板４とファン３の側端部とのオーバラップ量Ｌが必要以上増加することに伴う逆流現象や異音の発生は、図７中２点鎖線で示すように、逆流防止板４の内側面に遮蔽部６を設けることで、ある程度抑えることができるものの、この場合、吹出部３ｂの幅が狭くなって、空気の通過抵抗が増し、ファン３にとって所望する空力特性が得られないという新たな問題が生じる。
【０００９】
本発明は、前記事情に鑑みて成されたものであって、その目的とするところは、逆流現象や異音の発生を防止することができ、しかも、空気の通過抵抗を押さえて所望する空力特性が得られる室内ユニット及び空気調和機を提供することにある。
【００１０】
【課題を解決するための手段】
上記の課題を解決するための手段として、次のような構成を有する室内ユニット及び空気調和機を採用する。
請求項１に係る室内ユニットは、室内ユニット筺体と、該室内ユニット筺体内に設けられ室内の空気と冷媒との間で熱交換を行う室内熱交換器と、室内ユニット筺体内に設けられ室内の空気を室内熱交換器に送り熱交換後の空気を室内へ戻すクロスフロー型のファンと、該クロスフロー型ファンの吸込部近傍の吹出部を覆うように該ファンの左右両側端部にそれぞれ対応して設けられた逆流防止板とを備え、前記逆流防止板のファン吹出部中央側の角部には、逆流防止用の面取り部が形成されているとともに、前記面取り部は、前記ファンの一側方に取り付けられて該ファンを駆動するモータが存しない側の逆流防止板に施された面取り部の長さが、前記モータが存する側の逆流防止板の面取り部の長さよりも長く設定されていることを特徴とする。
上記室内ユニットにおいては、クロスフロー型のファンの吹出部の左右両側端部近傍から吹き出される空気の一部が逆流防止板に当たっても、その空気は左右の逆流防止板のそれぞれの面取り部に沿いながら流れの剥離を形成することなく、すみやかに室内ユニット筺体の吹出口に流れる。したがって、クロスフロー型のファンの吹出部の左右両側端部近傍から吹き出される空気の一部がファンの吸込部側へ流れる逆流現象は生じなく、異音も発生しない。また、面取り部は、モータが存しない側の長さが、モータが存する側の長ささよりも長くされている。これは、逆流防止板の背面部分に形成されるモータや電気部品等の収納スペースを広く確保するためであり、このような構造的な制約に対して面取り部の長さを変えることによって、面取り部の長さを最適な値にすることが可能となり、逆流現象や異音の発生を極力抑えることができる。
【００１１】
請求項２に係る室内ユニットは、請求項１記載の室内ユニットにおいて、前記逆流防止板が、前記ファンから吹き出される空気の流れに直交する方向へ延びる仕切部と、前記ファンから吹き出される空気の流れと同じ方向へ延びて室内ユニット筺体の空気吹出口近傍まで達する空気案内部とを備え、前記仕切部と前記空気案内部との交差部分に、前記面取り部が形成されていることを特徴とする。
上記室内ユニットにおいては、ファンから吹き出される空気の一部が逆流防止板の仕切部に当たっても、その空気は面取り部に沿いながら流れの剥離を形成することなく、空気案内部に案内されながら、すみやかに室内ユニット筺体の吹出口に流れる。したがって、この場合も、ファンの吹出部から吹き出される空気の一部がファンの吸込部側へ流れる逆流現象は生じなく、異音も発生しない。
【００１２】
請求項３に係る空気調和機は、前記請求項１または２に記載の室内ユニットを備えるとともに、該室内ユニットと対を成す室外ユニットを備えることを特徴とする。
上記空気調和機でも、請求項１または２にかかる室内ユニットと同様な作用となる。
【００１３】
【発明の実施の形態】
以下、本発明による室内ユニット及び空気調和機の実施形態について、図１及び図２を参照して説明する。
【００１４】
図１は空気調和機の全体構成を示す説明図である。空気調和機は、室内ユニット１０及び室外ユニット２０から構成されている。これら室内ユニット１０及び室外ユニット２０は、冷媒が導通する冷媒配管４０や図示しない電気配線等により接続されている。冷媒配管４０は２本備えられており、冷媒は、その一方において室内ユニット１０から室外ユニット２０へ、また他方において室外ユニット２０から室内ユニット１０へと流れることになる。
【００１５】
室内ユニット１０は、ベース１１Ａと前面パネル１１Ｂとからなる室内ユニット筺体１１を備える。ベース１１Ａには、室内の空気と冷媒との間で熱交換を行うプレートフィン＆チューブ型の室内熱交換器１３、室内の空気を室内熱交換器に送り熱交換後の空気を室内へ戻す略円筒形状のクロスフロー型のファン（室内ファン）１４等の各種機器が、室内ユニット筺体１１の内部に配置されるように備えられている。ベース１１Ａには、この他室内ユニット１０に関する種々の動作制御等を行うため、各種電気回路素子から構成された室内ユニット制御部１５が備えられている。室内ユニット制御部１５には、運転状況やエラーモードを表示するための適当なインジケータ１５ａが備えられている。このインジケータ１５ａは、前面パネル１１Ｂに設けられた透視部１２ａにより、外部から確認可能となっている。なお、ベース１１Ａの後方には、据え付け板１６が備えられ、これにより室内ユニット１０を室内の壁等に設置することが可能となっている。
【００１６】
前面パネル１１Ｂには、吸込グリル（吸込口）１２ｂが前面及び上面のそれぞれに形成されている。室内の空気は、これら吸込グリル１２ｂにより多方向から室内ユニット１０内に吸い込まれるようになっている。ちなみに、吸込グリル１２ｂの背後にはエアフィルタ１７が備えられており、吸い込まれた空気等の粉塵を除く働きをしている。また、前面パネル１１Ｂには、その下方に吹出口１２ｃが形成されており、ここから暖められた空気あるいは冷やされた空気が吹き出されるようになっている。なお、この空気吸込及び空気吹出は、前記クロスフロー型のファン１４が回転することによって行われる。
【００１７】
また、この室内ユニット１０は、室内の空気を吸引して室外へ排出する換気装置を備えている。この換気装置は、換気専用の換気ファン１８と、前面グリル１２に開口する換気専用の換気吸込口１２ｄと、換気ホース１９とにより構成されており、換気ファン１８の吸い込み側に換気吸込口１２ｄが連通し、換気ファン１８の吐出側に換気ホース１９の一端が連結されている。換気運転時は、換気ファン１８が作動することにより吸込口１２ｄから室内の空気を吸引するので、吸引された室内気は換気ファン１８及び換気ホース１９を通って室外へと排出される。
なお、換気ホース１９の他端は、断熱材で被覆された冷媒配管４０、４０、電気配線及びドレンホースと共に室内ユニット１０が設置された壁を貫通して設けられたスリーブ（不図示）を通って室外に開口している。
【００１８】
上述した室内ユニット１０は、各種の運転操作を行う操作部として、リモートコントローラ４１を備えている。このリモートコントローラ４１には各種スイッチ等が設けられており、空気調和機の運転操作信号を室内ユニット制御部１５の受信部（図示省略）へ向けて送信することができる。なお、空気調和機の運転操作は、室内ユニットの適所に設けられた図示省略のスイッチ類でも一部実施可能である。
【００１９】
室外ユニット２０には、筐体２１内に室外熱交換器２２、プロペラファン２３、圧縮機２４、室外ユニット制御部２５等が備えられている。室外熱交換器２２は、周囲に多数のプレート状フィンを備えた冷媒配管により構成されており、冷媒と室外気との熱交換を実現するためのものである。プロペラファン２３は、筐体２１内に背面から正面へと抜ける空気流を生じさせることにより新たな空気を常に筐体２１内に取り込んで、室外熱交換器２２における熱交換効率の向上を図るために設けられている。
【００２０】
なお、前記室外熱交換器２２が外部と向き合う室外ユニット２０の背面、及びプロペラファン２３が外部と向き合う正面には、それぞれフィンガード２６及びファンガード２７が設けられている。フィンガード２６は、前記プレート状フィンが外部からの不意の衝撃により破損することなどがないように設けられているものである。ファンガード２７も、これと同様にプロペラファン２３を外部衝撃から保護することを目的として備えられているものである。
【００２１】
圧縮機２４は、低温低圧の気体冷媒を、高温高圧の気体冷媒に変換して吐出するものであり、冷媒回路を構成する部品の中では最も中心的な働きを担うものである。ちなみに冷媒回路とは、この圧縮機２４に加えて、上記した室内熱交換器１３、室外熱交換器２２、冷媒配管４０、膨張弁、及び冷媒の流れ方向を規定する四方弁（膨張弁及び四方弁は共に不図示）等から概略構成され、冷媒を室内ユニット１０と室外ユニット２０との間で循環させる回路である。
【００２２】
室外ユニット制御部２５は、前記プロペラファン２３、圧縮機２４、その他室外ユニット２０に備えられた各種機器に関する動作制御等を行うもので、各種電気回路素子から構成されているものである。
【００２３】
室外ユニット２０には、上記の他、サイドパネル２１ａを支持するとともに外部振動等の影響を回避するため、ベース２８が備えられている。また、前記圧縮機２４に近いサイドパネル２１ａの側面は、前記圧縮機２４のメンテナンス等を実施するため取り外し可能な整備パネル２９を備えたものとなっている。
【００２４】
以下では、これらの構成よりなる空気調和機の作用について、暖房運転時及び冷房運転時のそれぞれの場合に分けて説明する。
まず、暖房運転時には、圧縮機２４で高温高圧の気体とされた冷媒は、冷媒配管４０を通り室内ユニット１０の室内熱交換器１３に送られる。室内ユニット１０内では、クロスフロー型のファン１４により吸込グリル１２ｂから取り込まれた室内気に対して、室内熱交換器１３を通過する高温高圧の気体冷媒から熱が与えられる。このことにより、前面パネル１１Ｂ下方の吹出口１２ｃから温風が吹き出されることになる。また同時に、高温高圧の気体冷媒は、前記室内熱交換器１３において凝縮液化し、高温高圧の液冷媒となる。
【００２５】
この高温高圧の液冷媒は、再び冷媒配管４０を通って室外ユニット２０における室外熱交換器２２に送られる。室外ユニット２０では、図示しない膨張弁を通過して低温低圧の液冷媒となる。プロペラファン２３により筐体２１内に取り込まれた新しい室外気から、室外熱交換器２２を通過する低温低圧の液冷媒が熱を奪うことになる。低温低圧の液冷媒は、このことにより蒸発気化して低温低圧の気体冷媒となる。これが再び圧縮機２４に送出され、上記過程を繰り返すことになる。
【００２６】
次に、冷房運転時には、冷媒は上記とは逆方向に冷媒回路中を流れる。すなわち、圧縮機２４で高温高圧の気体とされた冷媒が、冷媒配管４０を通過して室外熱交換器２２に送られ、室外気に熱を与えて凝縮液化し高温高圧の液冷媒となる。この高温高圧の液冷媒は、図示しない膨張弁を通過して低温低圧の液冷媒となり、再び冷媒配管４０を通り室内熱交換器１３に送られる。低温低圧の液冷媒は、ここで室内気から熱を奪って当該室内気を冷却するとともに、冷媒自身は蒸発気化して低温低圧の気体冷媒となる。これが再び圧縮機２４に送出され、上記過程を繰り返すことになる。
【００２７】
これらの運転は、室内ユニット１０内に収められた室内ユニット制御部１５及び室外ユニット２０内に収められた室外ユニット制御部２５が協調することによって制御される。
以下に、本発明の特徴部分について説明する。
【００２８】
図２に示すように、クロスフロー型のファン１４の左右両側端部には、それぞれ逆流防止板５０Ａ、５０Ｂが設けられている。逆流防止板５０Ａ、５０Ｂは、クロスフロー型のファン１４の吸込部１４ａ近傍の吹出部１４ｂを覆うものである。逆流防止板５０Ａ、５０Ｂは、クロスフロー型のファン１４から吹き出される空気の流れに直交する方向へ延びる仕切部５１Ａ、５１Ｂと、クロスフロー型のファン１４から吹き出される空気の流れと同じ方向へ延びて前面パネル１１ｂの吹出口１２ｃ近傍まで達する空気案内部５２Ａ、５２Ｂと、ファンの吸込部１４ａの一部を覆う吸込部覆い５３Ａ、５３Ｂとを備える。そして、仕切部５１Ａ、５１Ｂと空気案内部５２Ａ、５２Ｂとの交差部分には面取り部５５Ａ、５５Ｂが形成されている。面取り部５５Ａ、５５Ｂの形状としては、単なる傾斜面状のものでもよく、丸みを帯びた円弧状のものであってもよい。
【００２９】
クロスフロー型のファン１４の一側方には該ファン１４を駆動するモータ５４が取り付けられている。
ここで、モータ５４が存しない側のファン側端部と前記逆流防止板５０Ａとのオーバラップ量Ｌａが、モータ５４が存する側のファン側端部と前記逆流防止板５０Ｂとのオーバラップ量Ｌｂよりも大きく設定されている。つまり、モータ５４が存しない側の逆流防止板５０Ａの仕切部５１Ａの長さは、モータ５４が存する側の逆流防止板５０Ｂの仕切部５１Ｂの長さよりも長く設定されている。
【００３０】
また、前記モータ５４が存しない側の逆流防止板５０Ａに施された面取り部５５Ａの長さＭａが、前記モータ５４が存する側の逆流防止板５０Ｂの面取り部５５Ｂの長さＭｂよりも長く設定されている。
【００３１】
上記のように構成された空気調和機においては、クロスフロー型のファン１４の吹出部１４ｂから吹き出される空気の一部が逆流防止板５０Ａ、５０Ｂの仕切部５１Ａ、５１Ｂに当たるが、この仕切部５１Ａ、５１Ｂに当たった空気はその後面取り部５５Ａ、５５Ｂに沿いながら流れの剥離を形成することなく、すみやかに前面パネル１１Ｂの吹出口１２ｃに流れる。したがって、ファン１４の吹出部１４ｂから吹き出される空気の一部がファン１４の吸込部１４ａ側へ流れる逆流現象は生じなく、異音も発生することはない。
【００３２】
加えて、空気案内部５２Ａ、５２Ｂの内側面には、図７で示したような、遮蔽部６は設けておらず、したがって、ファン１４の吹出部１４ｂの幅が狭くなって、空気の通過抵抗が増し、ファン１４にとって所望する空力特性が得られないといった不具合も生じない。
【００３３】
また、上記空気調和機においては、モータ５４が存しない側の逆流防止板５０Ａに施された面取り部５５Ａの長さＭａを、前記モータ５４が存する側の逆流防止板５０Ｂの面取り部５５Ｂの長さＭｂよりも長く設定している。これは、逆流防止板５０Ａ、５０Ｂの背面部分に形成されるモータや電気部品等の収納スペースを広く確保するために面取り部５５Ｂの長さを短く、面取り部５５Ａの長さを長く設定している。このように、構造的な制約に対して面取り部の長さを変えることによって、面取り部５５Ａ、５５Ｂの長さを最適な値に設定しているため、逆流現象や異音の発生を極力抑えることができる。
【００３４】
図３は、逆流防止板に面取り部を設けた場合と設けない場合の騒音の比較を表した図である。縦軸に騒音レベル、横軸にファンの回転数をそれぞれとっている。
【００３５】
なお、この実験例で面取り部を有する場合の逆流防止板５０Ａ、５０Ｂとしては、図４に示すようにモータ５４が存しない側のファン側端部と前記逆流防止板５０Ａとのオーバラップ量Ｌａが２６ｍｍ、モータ５４が存する側のファン側端部と前記逆流防止板５０Ｂとのオーバラップ量Ｌｂが１７ｍｍ、モータ５４が存しない側及びモータ５４が存する側のそれぞれの逆流防止板５０Ａに施された面取り部５５Ａの長さＭａが１０ｍｍのものを用いた。また、面取り部を有しない場合の逆流防止板４としては、図５に示すようにモータ５４が存しない側のファン側端部と前記逆流防止板４とのオーバラップ量Ｌａが２６ｍｍ、モータ５４が存する側のファン側端部と前記逆流防止板５０Ｂとのオーバラップ量Ｌｂが１７ｍｍのものを用いた。
この図から明らかなように、逆流防止板５０Ａ、５０Ｂに面取り部５５Ａ、５５Ｂを設けた場合には、低回転数域で騒音が明確に低減されていることが確認できた。
【００３６】
図６は、逆流防止板に面取り部を設けた場合と設けない場合の風量の比較を表した図である。縦軸に風量、横軸にファンの回転数をそれぞれとっている。
なお、面取り部を有する場合の逆流防止板と面取り部を有しない場合の逆流防止板は、前記図４、図５にそれぞれ示したものと同様のものを用いた。
この図から明らかなように、低回転域から高回転域に至るほぼ全回転数域に渡って、風量の増加が確認できた。これは、前述したように、逆流防止板５０Ａ、５０Ｂの角部に面取り部５５Ａ、５５Ｂを設けることによって、ファン１４から吹き出される空気の一部が逆流防止板５０Ａ、５０Ｂに当たった後、面取り部５５Ａ、５５Ｂに沿いながら流れの剥離を形成することなく、すみやかに室内ユニット筺体の吹出口に流れることとなり、通過抵抗が減少したためであると推測される。
【００３７】
【発明の効果】
以上説明したように本発明によれば以下の優れた効果を奏する。
請求項１に係る室内ユニットによれば、クロスフロー型のファンの吹出部の左右両側端部近傍から吹き出される空気の一部が逆流防止板に当たっても、その空気は左右の逆流防止板のそれぞれの面取り部に沿い流れの剥離を形成することなく、すみやかに室内ユニット筺体の吹出口に流れるため、逆流防止板とファン側端部とのオーバラップ量が多少増加しても逆流現象は生じなく、異音も発生しない。特に、クロスフロー型のファンの左右の吸込部近傍の吹出部にて、それぞれ逆流現象及び異音が発生するのを防止できる。また、空気の通過抵抗が小さくなることから、所望する空力特性も得られる。更に、モータが存しない側の逆流防止板に施された面取り部の長さが、モータが存する側の逆流防止板の面取り部の長さよりも長く設定されている。これは逆流防止板の背面部分に形成されるモータや電気部品等の収納スペースを広く確保するためであり、このような構造的な制約に対して、面取り部の長さを変えることによって、面取り部の長さを最適な値にすることが可能となり、逆流現象や異音の発生を極力抑えつつ、逆流防止板の背面部分に形成されるモータや電気部品等の収納スペースを広く確保することができる。
【００３８】
請求項２に係る室内ユニットによれば、ファンから吹き出される空気の一部が逆流防止板の仕切部に当たっても、その空気は面取り部に沿いながら流れの剥離を形成することなく、空気案内部に案内されながらすみやかに室内ユニット筺体の吹出口に流れることとなり、逆流現象及び異音が発生するのをより一層防止できる。
【００３９】
請求項３に係る空気調和機によれば、前記請求項１または２の発明と同様な効果を奏する。
【図面の簡単な説明】
【図１】  本発明に係る実施の形態を示す図であって、空気調和機の全体構成を示す斜視断面図である。
【図２】  同実施の形態のクロスフロー型のファンと逆流防止板との関係を示す正面図である。
【図３】  逆流防止板に面取り部を設けた場合と設けない場合の騒音の比較を表した図である。
【図４】  上記比較をする際に用いた、面取り部を有する逆流防止板を示す正面図である。
【図５】  上記比較をする際に用いた、面取り部を有しない逆流防止板を示す正面図である。
【図６】  逆流防止板に面取り部を設けた場合と設けない場合の風量の比較を表した図である。
【図７】  従来のクロスフロー型ファンと逆流防止板との関係を示す正面図である。
【符号の説明】
１０  室内ユニット
１１  室内ユニット筺体
１１Ａ  ベース
１１Ｂ  前面パネル
１２ｂ  吸込グリル（吸込口）
１２ｃ  吹出口
１３  室内熱交換器
１４  クロスフロー型のファン
１４ａ  吸込部
１４ｂ  吹出部
２０  室外ユニット
５１Ａ、５１Ｂ  仕切部
５２Ａ、５２Ｂ  空気案内部
５３Ａ、５３Ｂ  吸込部覆い
５４  モータ
５５Ａ、５５Ｂ  面取り部
【図１】
0004295413.tif 000002
【図２】
0004295413.tif 000003
【図３】
0004295413.tif 000004
【図４】
0004295413.tif 000005
【図５】
0004295413.tif 000006
【図６】
0004295413.tif 000007
【図７】
0004295413.tif 000008